(57)【特許請求の範囲】
【請求項１】
ストリップ方向に調節可能なルーパとして形成されており、このルーパがストリップの幅全体にわたって並列して存在している多数の測定帯域を備えており、かつこの測定帯域がそれぞれ時計の針の方向で旋回可能な、動力測定装置と協働する、回転可能に支承されている測定ローラから成る様式の、平坦度測定ローラにおいて、
平坦度測定ローラが多数の測定ローラ（９) から成り、これらの測定ローラ（９) が貫通する支承軸（７）を備えていて, かつその回転点（１１）が動力測定装置（１５) を備えている軸（２）上に設けられている旋回可能な中空函形の様式のレバー枠組（３）内に支承されており、この際それぞれレバー枠組（３）の回転点（１１）、測定ローラ（９）の回転点（８）およびレバー枠組（３）の回転点（１１）下方に設けられている動力測定装置（１５）の動力導入点（１４）とがほぼ二等辺三角形を形成していることを特徴とする平坦度測定ローラ。
【請求項２】
平坦度測定ローラが回転点（７，１１）と動力導入点（１４）とにより形成されている三角形の外側に持上がり阻止部材（１３）を備えていることを特徴とする請求項１に記載の平坦度測定ローラ。
【発明の詳細な説明】
【０００１】
【発明が属する技術分野】
本発明は、ストリップ方向に調節可能なルーパとして形成されており、このルーパがストリップの幅全体にわたって並列して存在している多数の測定帯域を備えており、かつこの測定帯域がそれぞれ時計の針の方向で旋回可能な、動力測定装置と協働する、回転可能に支承されている測定ローラから成る様式の、平坦度測定ローラに関する。
【０００２】
【従来の技術】
この様式のルーパは、ストリップ圧延機にあってストリップの引張力を制御するための調整手段として、ドイツ連邦共和国特許第２４０３１  ６６６号公報から公知である。その際ストリップは特に引張力が掛けられていない状態に、即ち制御値が零でなければならない。ストリップの張力を制御するための調節部材として働くルーパは、例えばロールスタンドの出側に設けられている。このルーパは幅全体にわたって分散されて多数の対の測定アームを備えており、各々の測定アームは一方にあってはストリップに所属している測定ローラを、他方にあっては動力測定部材を備えている。ルーパ或いはその個々の測定帯域は天秤はかりのような原理で構成されている。板状の、互いに間隔をおいて平行に並列して設けられているそれぞれ二つの測定アームは一つの測定ローラを収容しており、案内板とねじ止めされている旋回支承部を備えている。この旋回支承部の下方に垂直方向で、更に高さ修正アームのための回転軸が設けられている。この高さ修正アームは多数のねじにより、測定ローラが水平位置に存在するように調節される。各々の測定ローラには二つの動力測定装置部材が所属しており、これらの動力測定装置部材はそれぞれ一つの測定アームと高さ修正アームに設けられている。これらの高さ修正アームは同時に持上がり阻止部材である。この公知のルーパの測定帯域の構造にあっては、測定ローラに水平面内において自由度を与える必要がある。これは、測定アームの軸上にそれぞれ設けられている振自動調心ころ軸受により支承部が移動するように構成されていることによって達せられる。
【０００３】
測定ローラを担持している両測定アーム−板は横方向で僅かな剛性を有しているに過ぎず、従ってこれら相互の接触を回避するために個々の測定帯域間或いは測定アーム−板対間に相応して大きな自由空域が維持されていなければならない。測定アーム−板が僅かに剛性でありかつ測定ローラの支承部が移動することにより、ルーパの測定ローラが中心から外れて負荷を受けた場合旋回して水平位置からずれ、これによりローラが片側で持上がってしまいそのエッジでストリップが傷つけられてしまうと言う危険が生じる。更に、測定ローラのこのような傾きにより、測定ローラの測定アームとの接触が誘起し、これに伴い測定ローラが損傷をこおむる。この場合、先ず測定ローラ支承部への潤滑油の供給が危惧され、これにより支承機能が機能しなくなる。最後には、測定アームの接触により測定ローラに摩擦が生じ測定結果が不正なものとなる。このことはさておくとして、このルーパは極めて多くの単個の部材を備えており、これに加えてこれらの部材が回転可能に支承されており、従って潤滑に経費を要する。更に、測定ローラは極めて多くの修正ねじと調節ねじとにより時間を費やしてはじめて調整が達せられるのみならず、しばしば再調節を行なわなければならない。何故なら、測定ローラは外部の負荷と振動とによりゆるんでしまったりするからである。
【０００４】
【発明が解決しようとする課題】
本発明の根底をなす課題は、上記のルーパの欠点を有しておらず、特に構造上単純に構成される冒頭に記載した様式のルーパを提供することである。
【０００５】
【課題を解決するための手段】
上記の課題は、本発明により、平坦度測定ローラが多数の測定ローラから成り、これらの測定ローラが貫通する支承軸を備えていて, かつその回転点が動力測定装置を備えている軸上に設けられている中空函形の様式のレバー枠組内に支承されており、この際それぞれレバー枠組の回転点、測定ローラの回転点およびレバー枠組の回転点下方に設けられている動力測定装置の動力導入点とがほぼ二等辺三角形を形成していることによって解決されます。
中空凾形の構造様式のレバー枠組は大きな剛性を与え、これに加えて特に貫通している軸受軸上に設けられている測定ローラが傾斜した位置を占めるのを阻止し、かつルーパの個々のレバー枠組−セグメントを狭い間隔で密接するように設けることを可能にする。本発明により平坦度測定ローラ、即ちルーパは公知の構造の観点から見た際構造が極めて単純であり、軽量であり、特に測定ローラの領域内において極めて僅かな質量で構成することが可能である。このことから、慣性モーメントが著しく僅かとなり、これにより−特に薄ストリップを製造する際に−ストリップの引張力調節にとって著しい利点が得られる。
【０００６】
本発明による構成により、レバー枠組の回転点は動力測定装置を備えている軸に設けられている。中空軸として形成する−この方法によっても質量が軽減される−ことが可能な軸は、予め多数の動力測定装置を備えており、これらは最終的には測定帯域のような、例えばねじにより固定されているロードセル、即ち測定ローラであるのが望ましい。少なくとも軸の端部に、平坦度測定ローラ、即ちルーパをストリップの走行路内に旋入させるために、調節シリンダが設けられており、更にこの軸は回転数値形成器を備えている。
【０００７】
本発明による優れた構成により、それぞれレバー枠組の回転点、この回転点に所属している測定ローラの回転点およびレバー枠組の回転点下方に設けられている動力測定装置の力導入点とがほぼ二等辺三角形を形成している。これらの三点が本発明により枠骨組を介して互いに結合されており、その際点間の結合部に引張力もしくは圧力が負荷されるので、最適な剛性が達せられ、そして測定ローラの回転点からレバー枠組の回転リンク部、即ち回転点への大きなレバー長さ（てこ長さ）により動力導入の際に最適な効率が達せられる。この場合、動力測定装置の配設を、レバー枠組の回転点の動力導入点への結合線上で垂直方向に行うことが可能であり、従ってストリップ引張力を有利な方法で圧力として−公知のルーパにおいて引張力を介して行なわれているのと異なり−動力測定装置に伝達される。このことに加えて、測定ローラの支承部は別として、更に一つのリンク部が、レバー枠組の軸におけるリンク点、即ち回転点領域内に設けられているに過ぎない。従って、ストリップ引張力の調節に際して仕上がり公差により避けることのできない遊びが従来におけるよりも非常に小さくなる。
【０００８】
各々のレバー枠組もしくは各々のレバー枠組セグメントのための、回転点と動力導入点とによって形成される三角形の外部に、持上がり阻止部材が設けられている場合、レバー枠組が時計の針の回転方向に回転可能であるが、しかし時計の針の回転方向とは反対方向に回転不可能である。この持上がり阻止部材は、例えばレバー枠組の貫通孔を経て、軸の延長部内の同列位置内に挿入されているボルトから成る。レバー枠組がストリップの引張力の下に時計の針の回転方向に回転した際、ねじ頭部はレバー枠組側でこのレバー枠組に対して僅かな（例えば０．１から０．３ｍｍの）空隙を有している。選択的に、例えば予緊張されているねじが同じ目的を果たす。即ち、時計の針の回転方向での運動は許容され、時計の針の回転方向とは反対方向の運動は回避される。本発明による平坦度測定ローラのモジュール構造は、レバー枠組の下方において自由に接近可能な持上がり阻止部材をゆるめることにより一つ或いは多数の任意のレバー枠組を時計の針の回転方向とは反対方向で上方へと旋回させてルーパから自由に接近可能な位置へと脱出させることを可能にする。これにより、個々の測定ローラ或いは全レバー枠組セグメントもしくは個々の動力測定装置を交換することが可能となり、しかもその際全平坦度測定ローラを解体する必要がない。
【０００９】
本発明の他の有利な実施の形態は、特許請求の範囲の請求項２に記載した。
以下に添付した図面に図示した発明の実施の形態につき本発明を説明する。
【００１０】
【発明の実施の形態】
例えばストリップ圧延機のロールスタンドの後方の出側に設けられている、平坦度測定ローラ１の様式のルーパは、図１に示したように、中空軸として形成されている共通の軸２（図３参照）上に、多数の密接して設けられているレバー枠組もしくはレバー枠組セグメント３を備えている。軸２の図１における左側端部には、調節シリンダのピストンロッド４が取付いており、従ってレバー枠組３は軸２の旋回軸線５上を一緒に調節される。即ち、レバー枠組３は図示していないストリップの走行路内に旋入可能である。旋回軸線５に、即ち軸２に接続されている回転値形成器(Drehgeber) ６により平坦度測定ローラ、即ちルーパ１の調節における調節値が検出され。
【００１１】
図２と図３とから詳細に認められるように、レバー枠組３はあたかも中空凾形の構造様式で構成されており、レバー枠組に高い剛性を与えている。レバー枠組３の各々はその軸２から離れている前方の端部において、貫通している支承軸７で支承されていてかつ回転点８を中心にして回転可能な測定ローラ９を担持している。レバー枠組の上側とねじ止めされている案内板１０はその上を案内されるストリップのための摩耗滑り部材として働く。レバー枠組３は回転リンク部の様式のそれぞれ一つの回転点１１を介して、軸２のカム様の突出部１２に設けられている。この場合、持上がり阻止部材１３により、レバー枠組３が時計の針の回転方向に回転可能であるが、しかし時計の針の回転方向とは反対方向に回転不可能であることが保証されている。この持上がり阻止部材１３の上方には、動力導入点１４が存在しており、この動力導入点に軸２の動力測定装置１５が所属している。  レバー枠組３は、まとめられた構造部分として、ストリップ引張力が発生した際の旋回運動のための回転点１１以外に更に、測定ローラ９の回転点８と動力導入点１４とを備えており、これらの点を互いに結合している線１６から１８（図３を参照）はほぼ二等辺三角形を形成している。この場合、結合線１６による長いレバーアーム（てこアーム）により、即ちレバー枠組３の回転点１１と測定ローラ９の回転点８間の大きなてこアームにより、測定ローラ９に生じるストリップ引張力が動力測定装置１５に伝達される際の最適な効力が達せられる。
【００１２】
回転点７と１１のうちの一つの点の外側もしくは動力測定装置１５の外側に存在している持上がり阻止部材１３は簡単な方法で、大きな剛性の個々のモジュール１のレバー枠組から成り極めてコンパクトな平坦度測定ローラ、即ちルーパであるにもかかわらず、任意のレバー枠組に全体交換或いは測定ローラ９のみの交換の目的で、自由に接近することを可能にする。何故なら、持上がり阻止部材１３をゆるめた後、所望のレバー枠組３を時計の針の回転方向とは反対方向に、即ち上方へと図１に示した配設から回転点１１を中心にして旋回させることにより脱出させることが可能であるからである。従って、レバー枠組、即ちルーパ１の全体を解体する必要がない。
【００１３】
【発明の効果】
本発明による平坦度測定ローラにより、従来の欠点、即ち測定ローラの支承部が移動することにより、ルーパの測定ローラが中心から外れて負荷を受けた場合旋回して水平位置からずれ、これによりストリップがローラが片側で持上がってしまい、そのエッジで傷つけられてしまうと言う危険が生じることがなく、更に、このような測定ローラの傾きにより、測定ローラの測定アームとの接触が誘起され、これに伴い測定ローラが損傷をこおむることが回避されると言う利点が達せられる。
【図面の簡単な説明】
【図１】多数のレバー枠組セグメントから組立られた平坦度測定ローラの一部を断面で示した平面図である。
【図２】レバー枠組セグメントの詳細の平面図である。
【図３】図２によるレバー枠組セグメントの側面図である。
【符号の説明】
１  平坦度測定ローラ
２  軸
３  レバー枠組セグメント
４  ピストンロッド
５  旋回軸線
６  回転値形成器
７  支承軸
８  回転点
９  測定ローラ
１０  案内板
１１  回転点
１２  突出部
１３  持上がり阻止部材
１４  動力導入点
１５  動力測定装置
【図１】
0004230003.tif 000002
【図２】
0004230003.tif 000003
【図３】
0004230003.tif 000004